(57)【特許請求の範囲】
【請求項１】
配線・配管材が内部に配設される波付き保護管を接続する接続部を両端に備えた筒状の保護管接続具であって、
前記接続部は、壁面に沿って並列配管された複数の保護管を並列させて接続可能に、複数の受け口が並列して設けられ、
前記並列する少なくとも二つの隣り合う受け口間には、軸方向に沿って連結部によって連結された複式保護管の該連結部を受容可能とする連結部挿入空間が形成されており、
前記受け口内に挿入された保護管の外面に係止して該保護管を抜け止め状態とする係止部と、前記受け口外方からの操作により前記係止部を該受け口外方へと移動させて、該保護管への係止を解除するための解除操作部とを有する弾性係止操作部を備え、
前記解除操作部は、それぞれの受け口毎の保護管の解除操作が可能となるように、前記複数の受け口に対しそれぞれ１つづつ設けられており、前記複数の受け口に設けられたそれぞれの前記解除操作部を有する弾性係止操作部の全てが、前記接続部の壁面側以外の位置に配置され、前記並列する二つの隣り合う受け口に設けられた二つの弾性係止操作部は、片手で同時に操作可能とされていることを特徴とする保護管接続具。
【請求項２】
受け口は、二つ並列して設けられ、弾性係止操作部は、片手で操作可能なように、これらの受け口の外側に対向して設けられていることを特徴とする請求項１記載の保護管接続具。
【請求項３】
受け口は、二つ並列して設けられ、弾性係止操作部は、片手で操作可能なように、これらの受け口の壁面側の反対側に設けられていることを特徴とする請求項１または２記載の保護管接続具。
【請求項４】
二つの弾性係止操作部は、近接して設けられ、人の指で同時操作可能となっていることを特徴とする請求項３記載の保護管接続具。
【発明の詳細な説明】
【技術分野】
【０００１】
本発明は、配線・配管材が内部に配設される波付き保護管を接続する接続部を両端に備えた筒状の保護管接続具に関する。
【背景技術】
【０００２】
二重天井内や壁内の配線や配管材を保護する波付き保護管には、軸方向に沿って連結部によって連結された複式保護管があり、このような複式保護管を配線ボックスに接続するための保護管接続具が、特許文献１で提案されている。
【０００３】
図５は、この本発明の背景技術となる保護管接続具の使用状態を示す斜視図である。
【０００４】
この保護管接続具１５は、二つの単独の波付き保護管ＷＰａを連結部ＰＡによって軸方向に沿って連結した複式保護管ＷＰを、配線ボックス１７に接続するもので、例えば、この例のように、壁面内の柱Ｐに取り付けられた配線ボックス１７に簡単に複式保護管ＷＰを接続できて作業性のよいものであった。
【０００５】
しかしながら、この保護管接続具１５では、それぞれの保護管ＷＰａを受ける受け口１１に設けられた係止部１３ａは、挿入された保護管ＷＰａの外周に係止した後は、その係止解除を簡単にはできない構造であって、一旦挿入した複式保護管ＷＰを再度取り外すということができにくいものであった。
【０００６】
また、この保護管接続具１５は、配線ボックス１７に複式保護管ＷＰを接続するのには好適であるが、壁等に沿って配設される複式保護管ＷＰ同士を接続するには適していなかった。
【特許文献１】特開２００５−１６０１３９号公報（図１）
【発明の開示】
【発明が解決しようとする課題】
【０００７】
本発明は、上記の問題を解決しようとするものであり、壁等に沿って配設される複式保護管同士を好適に接続かつ容易に接続解除することができる保護管接続具を提供することを目的とする。
【課題を解決するための手段】
【０００８】
請求項１記載の保護管接続具は、配線・配管材が内部に配設される波付き保護管を接続する接続部を両端に備えた筒状の保護管接続具であって、前記接続部は、壁面に沿って並列配管された複数の保護管を並列させて接続可能に、複数の受け口が並列して設けられ、
前記受け口内に挿入された保護管の外面に係止して該保護管を抜け止め状態とする係止部と、前記受け口外方からの操作により前記係止部を該受け口外方へと移動させて、該保護管への係止を解除するための解除操作部とを有する弾性係止操作部を備え、
前記解除操作部は、それぞれの受け口毎の保護管の解除操作が可能となるように、前記複数の受け口に対しそれぞれ１つづつ設けられており、前記複数の受け口に設けられたそれぞれの前記解除操作部を有する弾性係止操作部の全てが、前記接続部の壁面側以外の位置に配置され、前記並列する二つの隣り合う受け口に設けられた二つの弾性係止操作部は、片手で同時に操作可能とされていることを特徴とする。
【００１０】
請求項２記載の保護管接続具は、請求項１に従属し、受け口は、二つ並列して設けられ、弾性係止操作部は、片手で操作可能なように、これらの受け口の外側に対向して設けられていることを特徴とする。
【００１１】
請求項３記載の保護管接続具は、請求項１または２に従属し、受け口は、二つ並列して設けられ、弾性係止操作部は、片手で操作可能なように、これらの受け口の壁面側の反対側に設けられていることを特徴とする。
【００１２】
請求項４記載の保護管接続具は、請求項３に従属し、二つの弾性係止操作部は、近接して設けられ、人の指で同時操作可能となっていることを特徴とする。
【発明の効果】
【００１３】
請求項１記載の保護管接続具によれば、配線・配管材が内部に配設される波付き保護管を接続する接続部を両端に備えた筒状の保護管接続具であって、前記接続部は、壁面に沿って並列配管された複数の保護管を並列させて接続可能に、複数の受け口が並列して設けられ、
前記並列する少なくとも二つの隣り合う受け口間には、軸方向に沿って連結部によって連結された複式保護管の該連結部を受容可能とする連結部挿入空間が形成されており、
前記受け口内に挿入された保護管の外面に係止して該保護管を抜け止め状態とする係止部と、前記受け口外方からの操作により前記係止部を該受け口外方へと移動させて、該保護管への係止を解除するための解除操作部とを有する弾性係止操作部を備え、
前記解除操作部は、それぞれの受け口毎の保護管の解除操作が可能となるように、前記複数の受け口に対しそれぞれ１つづつ設けられており、前記複数の受け口に設けられたそれぞれの前記解除操作部を有する弾性係止操作部の全てが、前記接続部の壁面側以外の位置に配置され、前記並列する二つの隣り合う受け口に設けられた二つの弾性係止操作部は、片手で同時に操作可能とされているので、その解除操作に壁面が障害となることがなく、壁等に沿って配設される複式保護管同士を好適に接続かつ容易に接続解除することができる。
【００１４】
請求項１記載の保護管接続具によれば、更に、解除操作部は、それぞれの受け口毎の保護管の解除操作が可能となるように設けられているので、単体の波付き保護管を接続する場合には、それぞれの受け口単位で、保護管の接続解除が可能となる。
【００１５】
請求項２記載の保護管接続具によれば、請求項１の効果に加え、受け口は、二つ並列して設けられ、弾性係止操作部は、片手で操作可能なように、これらの受け口の外側に対向して設けられているので、片手で簡単に同時に接続解除をすることができる。
【００１６】
請求項３記載の保護管接続具によれば、請求項１または２の効果に加え、受け口は、二つ並列して設けられ、弾性係止操作部は、片手で操作可能なように、これらの受け口の壁面側の反対側に設けられているので、保護管接続具を壁面に設置した状態で、接続した保護管の隣合う二箇所の接続解除操作を、片手で同時に容易にすることができる。
【００１７】
請求項４記載の保護管接続具によれば、請求項３の効果に加え、二つの弾性係止操作部は、近接して設けられ、人の指で同時操作可能となっているので、保護管接続具を壁面に設置した状態で、接続した保護管の隣り合う二箇所の接続解除操作を、人の指で同時に容易にすることができる。
【発明を実施するための最良の形態】
【００１８】
以下に、本発明の実施の形態（実施例）について、図面を用いて説明する。
【実施例１】
【００１９】
図１は、本発明の保護管接続具の一例を示すもので、（ａ）はその平面図、（ｂ）はその正面図、（ｃ）はその側面図、（ｄ）は（ｂ）のＡＡ断面図、（ｅ）はその斜視図、（ｆ）は（ｄ）の弾性係止操作部の拡大詳細図である。
【００２０】
この保護管接続具５は、配線・配管材が内部に配設される波付き保護管を接続する接続部２を両端に備えた筒状のものであって、接続部２は、壁面に沿って並列配管された複数の保護管を並列させて接続可能に、複数の受け口１が並列して設けられている。
【００２１】
また、保護管接続具５の並列する少なくとも二つの隣り合う受け口１間には、軸方向に沿って連結部によって連結された複式保護管の該連結部を受容可能とする連結部挿入空間２ａが形成されている。
【００２２】
更に、この保護管接続具５は、受け口１内に挿入された保護管の外面に係止して該保護管を抜け止め状態とする係止部３ａと、受け口１外方からの操作により係止部３ａを該受け口１の外方へと移動させて、該保護管への係止を解除するための解除操作部３ｂとを有する弾性係止操作部３を備えている。
【００２３】
このような構成において、この保護管接続具５は、図１（ｃ）に示すように、少なくとも解除操作部３ｂを、接続部２の壁面Ｗ側以外の位置に、より具体的には、壁面Ｗと平行な位置に対向配置したことを特徴とする。
【００２４】
複数の受け口１の内径は、波付き保護管の外径に対応したものとなっており、これが並列されて接続口２となっているので、この接続口２は、複数並列させた保護管をそのまま受け入れ、接続することができる。
【００２５】
この複数というのは２列以上という意味であって、この接続具５の接続口２は２列用であるが、３列用かそれ以上の列用であってもよい。
【００２６】
接続口２の受け口１間には、連結部挿入空間２ａがあるので、接続口２は、連結部で連結された複式保護管であっても、問題なく受け入れ、接続することができる。この場合にも列数は、２列以上であれば、何列でもよい。
【００２７】
ただし、連結部挿入空間２ａは隣接する受け口１間に設けられるので、受け口１が３列の場合には連結部挿入空間２ａは２カ所、受け口１が４列の場合には連結部挿入空間２ａは３カ所という風に設置される。
【００２８】
弾性係止操作部３の係止部３ａは、図１（ｆ）に示すように、受け口１の周壁の一部に、片持ち状態に形成された梁部３ｃの先端に、波付き保護管の外周の谷部に入り込むような突部３ｄを設けたものである。
【００２９】
突部３ｄの保護管挿入側は、挿入される波付き保護管の外周の山部に接触して押されて、梁部３ｃをその弾性変形範囲内で撓ませ、突部３ｄを受け口１の外方向へ移動させるような挿入ガイド部３ｅとなっている。
【００３０】
突部３ｄの保護管挿入側の反対側は、抜き出されようとする波付き保護管の外周の山部に接触して押されても、梁部３ｃを撓ませるような力を発生させず、突部３ｄの谷部への入り込み状態を維持するような抜き出し防止部３ｆとなっている。
【００３１】
梁部３ｃの基端側の内側には、梁部３ｃをより撓みやすくする撓み凹部３ｇが設けられている。この撓み凹部３ｇは、梁部３ｃが受け口１の内側へ撓むときと、外側へ撓むときのいずれの場合にも、撓みやすくするものであるが、外側へ撓むときに、その撓みやすくする機能をより大きく発揮する。
【００３２】
解除操作部３ｂは、係止部３ａの梁部３ｃの先端から基部方向へ、梁部３ｃに対して遠ざかるように、かつ、より長く、伸び出した梁形状となっている。
【００３３】
したがって、この解除操作部３ｂを受け口１側へ手先で押圧すると、係止部３ａの梁部３ｃの先端側を受け口１の外方向へ弾性変形範囲内で撓ませ、係止部３ａの突部３ｄと挿入されていた波付き保護管の外周との間の係止を解除することができる。
【００３４】
並列した受け口１からなる接続口２が対向して設けられた保護管接続具５の受け口１の間となる位置で、両側の接続口２の中央となる位置に、この保護管接続具５を壁面などに取り付けるための取り付け孔５ａが貫通して設けられている。
【００３５】
この取り付け孔５ａは、そこに固定ネジなどを挿入して壁面Ｗに、保護管接続具５を固定した場合でも、図１（ｃ）や（ｅ）から解るように、波付き保護管の接続、接続解除に支障となることがない。
【００３６】
対向する接続口２の内周壁の中央となる位置には、挿入した保護管の外周側に接触する中央仕切り突部５ｂが設けられ、保護管がそれ以上挿入されないように阻止している。この中央仕切り突部５ｂは、保護管に通される配線・配管材の挿通には支障のないものである。
【００３７】
この保護管接続具５の素材は、可撓性のある合成樹脂で成形性のよいものが好適であり、例えば、ＡＢＳ（アクリロニトリルブタジエンスチレン共重合体）樹脂が好適である。
【００３８】
特に、その素材として、難燃性ＡＢＳ樹脂を用いた場合には、火災等の場合に、保護された内部の配線・配管材が火災の影響を受けるのを抑制することができる。
【００３９】
また、このＡＢＳ樹脂は、適度の機械的強度と可撓性があるので、素材の弾性によって挿入された保護管の係止、係止解除を達成する弾性係止操作部３の機能が好適に発揮されることを保証する。
【００４０】
これより、上記のような構成の保護管接続具５の使用方法、つまり、保護管接続具５を用いて複式保護管ＷＰを接続する接続方法について説明する。
【００４１】
図２は、図１の保護管接続具の使用方法を説明するもので、（ａ）は、接続前の状態を示す斜視図、（ｂ）は保護管接続具に複式保護管を差し込んだ状態を示す断面図、（ｃ）は（ｂ）から更に差し込まれた複式保護管により弾性係止操作部が撓んでいる状態を示す断面図である。
【００４２】
図３は、図１に続いて保護管接続具の使用方法を説明するもので、（ａ）は、差し込みが完了した複式保護管が保護管接続具で抜け止め防止されている状態を示す断面図、（ｂ）は、弾性係止操作部を解除操作して、複式保護管を抜き出そうとしている状態を示す断面図である。
【００４３】
これより、すでに説明した部分と同じ部分には同じ符号を付して重複説明を省略する。
【００４４】
まず、図２（ａ）に示すように、保護管接続具５と複式保護管ＷＰとを壁面Ｗに沿った状態で相互に近接させた状態とする。
【００４５】
ついで、複式保護管ＷＰを保護管接続具５の接続部２に、複式保護管ＷＰのそれぞれの波付き保護管ＷＰａが、接続部２のそれぞれの受け口１に入るようにして、挿入する。
【００４６】
この際、接続部２には、連結部挿入空間２が設けられているので、連結部ＰＡを有する複式保護管ＷＰも支障なく、挿入することができ、図２（ｂ）の状態となる。
【００４７】
図２（ｂ）の状態では、挿入された複式保護管ＷＰの先端部分が、保護管接続具５の弾性係止操作部３を構成する係止部３ａの突部３ｄに近づいた状態となっている。
【００４８】
ここで、複式保護管ＷＰを手先Ｈで掴んで更に押し込むようにすると、図２（ｃ）に示すように、複式保護管ＷＰの先端外周の山部側面が、係止部３ａの挿入ガイド部３ｅに接触し、これにより、弾性係止操作部３の係止部３ａが受け口１の外側方向に撓んだ状態となる。
【００４９】
ここで、更に、複式保護管ＷＰを押し込むと、弾性係止操作部３の係止部３ａの突部３ｄが順に複式保護管ＷＰの先端外周の山部を乗り越えて行き、複式保護管ＷＰの先端外周側面が、保護管接続具５の中央仕切り突部５ｂに接触する位置まで達する。
【００５０】
ここで、手先Ｈを離すと図３（ａ）に示すように、弾性係止操作部３の係止部３ａの突部３ｄが複式保護管ＷＰの最寄りの谷部に入り込んだ状態となる。
【００５１】
なお、この接続過程において、この保護管接続具５が取り付け孔５ａにより壁面Ｗに固定されていたとしても、複式保護管ＷＰの接続に支障となることがない。
【００５２】
この状態で、複式保護管ＷＰを引き抜こうとしも、その際には、弾性係止操作部３の抜き出し防止部３ｆがその抜き出しを阻止するので、引き抜くことはできない。
【００５３】
一方、弾性係止操作部３の解除操作部３ｂを手先Ｈで押圧すると、図３（ｂ）に示すように、係止部３ａが受け口１の外側に撓んで、その先端の突部３ｄが複式保護管ＷＰの外周より外側に位置するようになり、容易に、複式保護管ＷＰを抜き出すこと、つまり、接続解除することができる。
【００５４】
この際、少なくとも解除操作部３ｂは、複式保護管ＷＰの並列している方向に、つまり、複式保護管ＷＰとこれを接続する保護管接続具５とが壁面に接しているとすると、この壁面Ｗ側以外の位置に設けられている（図１（ｃ）参照）ので、その解除操作に壁面が障害となることがない。
【００５５】
こうして、この保護管接続具５によれば、壁等に沿って配設される複式保護管ＷＰ同士を好適に接続かつ容易に接続解除することができる。
【００５６】
ここで、この保護管接続具５の接続部２には、連結部ＰＡで連結された複式保護管ＷＰだけでなく、単体の波付き保護管ＷＰａももちろん、それぞれの受け口１に接続できるので、上記の効果は、単体の波付き保護管ＷＰａを接続する場合にも発揮される。
【００５７】
この際、弾性係止操作部３は、それぞれの受け口１毎の保護管の解除操作が可能となるように設けられているので、単体の波付き保護管ＷＰａを接続する場合には、それぞれの受け口１単位で、保護管ＷＰａの接続解除が可能となる。
【００５８】
また、この保護管接続具５においては、受け口１は、二つ並列して設けられ、弾性係止操作部３は、片手で操作可能なように、これらの受け口１の外側に対向して設けられているので、２か所同時に、片手で簡単に接続解除をすることができる。  
【実施例２】
【００５９】
図４（ａ）、（ｂ）、（ｃ）、（ｄ）は、本発明の保護管接続具の他例を示す平面図と側面図である。
【００６０】
図４（ａ）、（ｂ）に示す保護管接続具５Ａは、図１の保護管接続具５に比べ、接続部２に設けられた二つの弾性係止操作部３Ａが、接続部２が接触する壁面Ｗ（図４（ｂ）参照）側の反対側に設けられている点が異なっている。
【００６１】
つまり、この保護管接続具５Ａにおいては、受け口１は、二つ並列して設けられ、弾性係止操作部３Ａは、片手で操作可能なように、これらの受け口１の壁面Ｗ側の反対側に設けられている。
【００６２】
このような構成の保護管接続具５Ａによれば、これまでの説明から明らかなように、保護管接続具５Ａを壁面に設置した状態で、接続した保護管の隣合う二箇所の接続解除操作を、片手で同時に容易にすることができる。
【００６３】
なお、受け口１の並列する列数が３以上となる場合には、この例のように、並列する受け口１の壁面Ｗ側の反対側に設けるのが好適である。
【００６４】
図４（ｃ）、（ｄ）に示す保護管接続具５Ａは、図４（ａ）、（ｂ）の保護管接続具５Ａに比べ、接続部２に設けられた二つの弾性係止操作部３Ｂが、接続部２が接触する壁面Ｗ（図４（ｂ）参照）側の反対側に設けられている点では共通するが、この弾性係止操作部３Ｂの解除操作部３ｂ′が、隣合う解除操作部３ｂ′側に張り出した張り出し部３ｈを備えている点が異なっている。
【００６５】
この隣り合う張り出し部３ｈ同士は、相互に近接し、この隣り合う二つの張り出し部３ｈを人の指で同時操作可能となっている。
【００６６】
つまり、この保護管接続具５Ｂにおいては、二つの弾性係止操作部３Ｂは、近接して設けられ、人の指で同時操作可能となっている。
【００６７】
このような構成の保護管接続具５Ｂによれば、これまでの説明から明らかなように、保護管接続具５Ｂを壁面に設置した状態で、接続した保護管の隣り合う二箇所の接続解除操作を、人の指で同時に容易にすることができる。
【００６８】
なお、本発明にいう、接続部の壁面側以外の位置とは、接続部が接する壁面から離れたいずれの位置をも含むもので、図１の保護管接続具５のような接続部を挟んで壁面に平行な位置や、図４の保護管接続具５Ａ、５Ｂのような、接続部を挟んで、壁面に反対側の位置を含む概念である。
【００６９】
また、本発明の保護管接続具は、上記の実施例に限定されず、特許請求の範囲に記載された範囲、実施例の範囲で、種々の変形例、組み合わせが可能であり、本発明の技術的範囲には、これらの変形例、組み合わせも含まれるものである。
【産業上の利用可能性】
【００７０】
本発明の保護管接続具は、壁等に沿って配設される複式保護管同士を好適に接続かつ容易に接続解除することが要請される産業上の分野に用いることができる。
【図面の簡単な説明】
【００７１】
【図１】本発明の保護管接続具の一例を示すもので、（ａ）はその平面図、（ｂ）はその正面図、（ｃ）はその側面図、（ｄ）は（ｂ）のＡＡ断面図、（ｅ）はその斜視図、（ｆ）は（ｄ）の弾性係止操作部の拡大詳細図
【図２】図１の保護管接続具の使用方法を説明するもので、（ａ）は、接続前の状態を示す斜視図、（ｂ）は保護管接続具に複式保護管を差し込んだ状態を示す断面図、（ｃ）は（ｂ）から更に差し込まれた複式保護管により弾性係止操作部が撓んでいる状態を示す断面図
【図３】図１に続いて保護管接続具の使用方法を説明するもので、（ａ）は、差し込みが完了した複式保護管が保護管接続具で抜け止め防止されている状態を示す断面図、（ｂ）は、弾性係止操作部を解除操作して、複式保護管を抜き出そうとしている状態を示す断面図
【図４】（ａ）、（ｂ）、（ｃ）、（ｄ）は、本発明の保護管接続具の他例を示す平面図と側面図
【図５】本発明の背景技術となる保護管接続具の使用状態を示す斜視図
【符号の説明】
【００７２】
１      受け口  
２      接続部
２ａ    連結部挿入空間
３〜３Ｂ      弾性係止操作部
３ａ    係止部
３ｂ    解除操作部
５〜５Ｂ      保護管接続具
ＷＰ    複式保護管（波付き保護管）
ＰＡ    連結部
【図１】
0005010360.tif 000002
【図２】
0005010360.tif 000003
【図３】
0005010360.tif 000004
【図４】
0005010360.tif 000005
【図５】
0005010360.tif 000006